【手続補正書】
【提出日】平成25年7月5日(2013.7.5)
【手続補正１】
【補正対象書類名】特許請求の範囲
【補正対象項目名】全文
【補正方法】変更
【補正の内容】
【特許請求の範囲】
【請求項１】
モーションセンサーからの出力を用いて、センサー群を含むセンサーモジュールの動作モードを切り替え制御する制御部を含み、
前記動作モードは、前記センサー群のうち複数のセンサーが動作する第１モードと、前記第１モードで動作するセンサーよりも少ない数のセンサーが動作する第２モードと、を含む、センシング装置。
【請求項２】
請求項１に記載のセンシング装置において、
前記制御部は、
前記第１モードから前記第２モードへの切り替え制御の判定を行う判定時間が設定され、
前記判定時間における前記モーションセンサーからの出力と第１の閾値との比較結果に基づいて行う、センシング装置。
【請求項３】
請求項１に記載のセンシング装置において、
前記第２モードから前記第１モードへの切り替え制御を、前記モーションセンサーからの出力と第２の閾値との比較結果に基づいて行う、センシング装置。
【請求項４】
請求項１ないし３のいずれか１項の記載のセンシング装置において、
前記モーションセンサーは、前記センサーモジュール以外の補助センサーモジュールに含まれ、
前記補助センサーモジュールの前記モーションセンサーからの出力を用いて、前記センサーモジュールの前記動作モードの切り替え制御を行う、センシング装置。
【請求項５】
請求項４に記載のセンシング装置において、
前記動作モードは、前記センサーモジュールの前記センサー群の少なくとも１つを停止させる第３モードを含む、センシング装置。
【請求項６】
請求項１ないし３のいずれか１項の記載のセンシング装置において、
前記モーションセンサーは、前記センサーモジュールおよび前記センサーモジュール以外の補助センサーモジュールの各々に含まれ、
前記センサーモジュールの前記モーションセンサー、または前記補助センサーモジュールの前記モーションセンサーの出力を用いて、前記センサーモジュールの前記動作モードが前記第１モードである場合には、前記補助センサーモジュールの動作モードを前記第２モードに切り替え、前記センサーモジュールの前記動作モードが前記第２モードである場合には、前記補助センサーモジュールの動作モードを前記第１モードに切り替え制御する、センシング装置。
【請求項７】
請求項１乃至６のいずれか１項に記載のセンシング装置において、
前記センサー群からの少なくとも１つのセンサーの出力に基づく出力データを生成するデータ生成部を含み、
前記データ生成部は、
前記動作モードが前記第１モードの場合には、第１のレートで前記出力データを生成し、前記動作モードが前記第１モード以外の場合には、前記第１のレートよりも低い第２のレートで前記出力データを生成する、センシング装置。
【請求項８】
請求項７に記載のセンシング装置において、
前記出力データが生成されるレートを表すステータスレジスターを含み、
前記データ生成部は、前記レートが変化した場合に前記ステータスレジスターを更新する、センシング装置。
【請求項９】
請求項８に記載のセンシング装置において、
前記データ生成部は、前記ステータスレジスターを更新した場合に割り込み信号を出力する、センシング装置。
【請求項１０】
請求項７乃至９のいずれか１項に記載のセンシング装置において、
前記データ生成部は、前記出力データが生成されるレートを表す信号を出力する、センシング装置。
【請求項１１】
請求項１乃至１０のいずれか１項に記載のセンシング装置を含む電子機器。
【手続補正２】
【補正対象書類名】明細書
【補正対象項目名】０００６
【補正方法】変更
【補正の内容】
【０００６】
（１）本発明は、少なくとも１つをモーションセンサーとするセンサー群を含み、動作モードが、前記センサー群の全てが動作する全部動作モードと、前記モーションセンサーの少なくとも１つを含む一部のセンサーが動作する一部動作モードとに切り替え可能なセンサーモジュールと、前記モーションセンサーからの出力に基づき前記センサーモジュールの前記動作モードを切り替え制御する制御部と、を含む、センシング装置、である。また他の態様では、モーションセンサーからの出力を用いて、センサー群を含むセンサーモジュールの動作モードを切り替え制御する制御部を含み、前記動作モードは、前記センサー群のうち複数のセンサーが動作する第１モードと、前記第１モードで動作するセンサーよりも少ない数のセンサーが動作する第２モードと、を含む。
【手続補正３】
【補正対象書類名】明細書
【補正対象項目名】００１１
【補正方法】変更
【補正の内容】
【００１１】
（２）このセンシング装置において、前記制御部は、前記全部動作モードから前記一部動作モードへの切り替え制御を、前記モーションセンサーからの出力に基づく信号と第１の閾値との所与の時間での比較結果に基づいて行い、前記一部動作モードから前記全部動作モードへの切り替え制御を、前記モーションセンサーからの出力に基づく信号と第２の閾値との比較結果に基づいて行ってもよい。また、他の態様では、前記制御部は、前記第１モードから前記第２モードへの切り替え制御の判定を行う判定時間が設定され、前記判定時間における前記モーションセンサーからの出力と第１の閾値との比較結果に基づいて行っても良い。また、前記第２モードから前記第１モードへの切り替え制御を、前記モーションセンサーからの出力と第２の閾値との比較結果に基づいて行っても良い。
【手続補正４】
【補正対象書類名】明細書
【補正対象項目名】００２０
【補正方法】変更
【補正の内容】
【００２０】
（３）本発明は、センサー群を含み、動作モードが、前記センサー群の全てが動作する全部動作モードと、少なくとも一部のセンサーが停止する停止動作モードとに切り替え可能なセンサーモジュールと、少なくとも１つのモーションセンサーを含む補助センサーモジュールと、前記モーションセンサーからの出力に基づき前記センサーモジュールの前記動作モードを切り替え制御する制御部と、を含む、センシング装置、である。また、他の態様では、前記モーションセンサーは、前記センサーモジュール以外の補助センサーモジュールに含まれ、前記補助センサーモジュールの前記モーションセンサーからの出力を用いて、前記センサーモジュールの前記動作モードの切り替え制御を行う。前記動作モードは、前記センサーモジュールの前記センサー群の少なくとも１つを停止させる第３モードを含む。
【手続補正５】
【補正対象書類名】明細書
【補正対象項目名】００２５
【補正方法】変更
【補正の内容】
【００２５】
（５）本発明は、少なくとも１つをモーションセンサーとするセンサー群を含み、動作モードが、前記センサー群の全てが動作する全部動作モードと、少なくとも一部のセンサーが停止する停止動作モードとに切り替え可能なセンサーモジュールと、少なくとも１つのモーションセンサーを含み、動作モードが、センサーが通常動作する動作モードと、センサーが動作を停止する停止モードとに切り替え可能な補助センサーモジュールと、前記センサーモジュール又は前記補助センサーモジュールのモーションセンサーからの出力に基づき、前記センサーモジュールの前記動作モードを切り替え制御するとともに、前記補助センサーモジュールの前記動作モードを、前記センサーモジュールの前記動作モードが前記全部動作モードである場合には、前記停止モードに、前記センサーモジュールの前記動作モードが前記停止動作モードである場合には、前記動作モードに切り替え制御する制御部と、を含む、センシング装置、である。また、他の態様では、前記モーションセンサーは、前記センサーモジュールおよび前記センサーモジュール以外の補助センサーモジュールの各々に含まれ、前記センサーモジュールの前記モーションセンサー、または前記補助センサーモジュールの前記モーションセンサーの出力を用いて、前記センサーモジュールの前記動作モードが前記第１モードである場合には、前記補助センサーモジュールの動作モードを前記第２モードに切り替え、前記センサーモジュールの前記動作モードが前記第２モードである場合には、前記補助センサーモジュールの動作モードを前記第１モードに切り替え制御する。